【手続補正書】
【提出日】平成19年9月7日(2007.9.7)
【手続補正１】
【補正対象書類名】明細書
【補正対象項目名】特許請求の範囲
【補正方法】変更
【補正の内容】
【特許請求の範囲】
【請求項１】
第１のＣＤＭＡシステムに第２のＣＤＭＡシステムをオーバーレイする方法において、
第１の信号および１つ以上の第１の情報信号を受信することであって、前記第１の情報信号は第１のＣＤＭＡチャネライゼーションを使用し第１のサービスエリアにサービスを提供することと、
１つ以上の第２の情報信号を受信することであって、前記第２の情報信号は第２のＣＤＭＡチャネライゼーションを使用し前記第１のサービスエリアの少なくとも一部分にサービスを提供することと、
前記第１の信号の電力レベルを決定することと、
前記１つ以上の第１の情報信号の各々の電力レベルを決定することと、
前記１つ以上の第２の情報信号の各々の電力レベルを決定することと、
前記第１の信号の電力レベルおよび前記１つ以上の第１および第２の情報信号の電力レベルに基いて前記第１のサービスエリアの少なくとも前記一部分内の負荷のレベルを決定することと、
を備えた方法。
【請求項２】
第１のアンテナを介して前記１つ以上の第１の情報信号と前記１つ以上の第２の情報信号を送信するステップをさらに備えた、請求項１の方法。
【請求項３】
受信するステップは、第２のアンテナを介して信号エネルギーを受信するステップを備えた、請求項１の方法。
【請求項４】
受信するステップはカプラーを用いたステップを備えた、請求項１の方法。
【請求項５】
前記第２のＣＤＭＡチャネライゼーションを用いて送信された情報信号の承認のための合否判定を決定するために前記負荷のレベルを用いることをさらに備えた、請求項１の方法。
【請求項６】
前記第２のＣＤＭＡチャネライゼーションは、前記第１のＣＤＭＡチャネライゼーションより広いスペクトルを有する、請求項１の方法。
【請求項７】
前記第１のＣＤＭＡチャネライゼーションは前記第２のＣＤＭＡチャネライゼーションよりも広いスペクトルを有する、請求項１の方法。
【請求項８】
前記第１の信号はパイロット信号である、請求項１の方法。
【請求項９】
第１の信号と、第１のサービスエリアにサービスを提供する１つ以上の第１の情報信号を送信するように構成された第１の基地局と、
前記第１のサービスエリアの少なくとも一部分にサービスを提供する、第２のＣＤＭＡチャネライゼーションを有する１つ以上の第２の情報信号を送信するように構成された第２の基地局と、
前記第１の信号と前記１つ以上の第１および第２の情報信号の各々に対応する電力レベルを取得するように構成された同期ユニットと、
を備え、
前記同期ユニットは、前記第１の信号の電力測定結果および前記１つ以上の第１および第２の情報信号の電力測定結果に基いて、前記第１のサービスエリアの前記少なくとも一部分内の負荷のレベルを決定するようにさらに構成される、ＣＤＭＡシステム。
【請求項１０】
前記第２の基地局は、前記第２のＣＤＭＡチャネライゼーションを用いて送信された情報信号の承認のための合否判定を決定するようにさらに構成される、請求項９のＣＤＭＡシステム。
【請求項１１】
第１のＣＤＭＡチャネライゼーションを有する第１の信号を受信し、前記第１の信号のタイミングの表示を生成するように構成された第１の受信機と、
第２のＣＤＭＡチャネライゼーションを有する第２の信号を受信し、前記第２の信号のタイミングの表示を生成するように構成された第２の受信機と、
前記第１の信号のタイミングと前記第２の信号のタイミングを比較し、前記第２の信号の送信タイミングを調節するために使用される相対タイミングを決定するように構成されたタイムエラー検出ユニットと、
を備えた同期ユニット。
【請求項１２】
前記同期ユニットは、前記第１および第２の信号が受信されるアンテナをさらに備えた、請求項１１の同期ユニット。
【請求項１３】
前記同期ユニットは、前記第１および第２の信号が受信されるカプラーをさらに備えた、請求項１１の同期ユニット。
【請求項１４】
前記第１および第２の受信機はハードウエアの少なくとも一部を共有する、請求項１１の同期ユニット。
【請求項１５】
前記第１および第２の受信機は単一の時分割ユニットである、請求項１１の同期ユニット。
【請求項１６】
前記第１の信号の位相と前記第２の信号の位相を比較し、前記第２の信号の送信位相を調節するために使用される相対位相オフセット表示を決定するように構成された位相エラー検出ユニットをさらに備えた、請求項１１の同期ユニット。
【請求項１７】
前記第１および第２の信号の電力レベルを決定するように構成された電力測定ユニットと、前記第１および第２の信号に相当するサービスエリア内の負荷のレベルを決定するように構成される比較ユニットとをさらに備えた、請求項１１の同期ユニット。
【請求項１８】
第１の信号と、第１のサービスエリアにサービスを提供する、第１のＣＤＭＡチャネライゼーションを有する１つ以上の第１の情報信号を受信するように構成された第１の受信機と、
前記第１のサービスエリアの少なくとも一部分にサービスを提供する、第２のＣＤＭＡチャネライゼーションを有する１つ以上の第２の情報信号を受信するように構成された第２の受信機と、
前記第１の信号の電力レベル、前記１つ以上の第１の情報信号の各々の電力レベル、および前記１つ以上の第２の情報信号の各々の電力レベルを決定するように構成された電力測定ユニットと、
前記第１の信号の電力レベルおよび前記１つ以上の第１および第２の情報信号の電力レベルに基いて前記第１のサービスエリアの前記少なくとも一部分内の負荷のレベルを決定するように構成された比較ユニットと、
を備えた同期ユニット。
【請求項１９】
第１のＣＤＭＡシステムに第２のＣＤＭＡシステムをオーバーレイする方法において、
第１のＣＤＭＡチャネライゼーションを用いて第１の信号を第１の送信される信号として送信することと、
第２のＣＤＭＡチャネライゼーションを用いて第２の信号を第２の送信される信号として送信することであって、前記第１および第２のＣＤＭＡチャネライゼーションは共通周波数スペクトルの少なくとも一部を共有し、前記第１の送信される信号および前記第２の送信される信号は、共通のサービスエリアに結合された出力として送信されることと、
前記第１の送信される信号に対応する前記結合された出力から信号エネルギーを取得することと、
前記第２の送信される信号に対応する前記結合された出力から信号エネルギーを取得することと、
前記第１の送信される信号の位相を前記第２の送信される信号の位相と比較し、前記取得した信号エネルギーに基いて位相エラー表示を発生することと、
前記位相エラー表示に応答して前記第２の信号が送信される位相を調節することと、
を備えた方法。
【請求項２０】
前記第１の信号はパイロット信号である、請求項１９の方法。
【請求項２１】
前記第１および第２の信号を送信するステップは、第１のアンテナを介して前記第１および第２の信号を送信するステップを備えた、請求項１９の方法。
【請求項２２】
前記第１および第２の信号に相当する信号エネルギーを取得するステップは、第２のアンテナを介して前記第１および第２の信号を受信するステップを備えた、請求項２１の方法。
【請求項２３】
前記第２の信号に相当する信号エネルギーを取得するステップは、カプラーを使用するステップを備えた、請求項１９の方法。
【請求項２４】
前記第２のＣＤＭＡチャネライゼーションは、前記第１のＣＤＭＡチャネライゼーションよりも広いスペクトルを有する、請求項１９の方法。
【請求項２５】
前記第１のＣＤＭＡチャネライゼーションは前記第２のＣＤＭＡチャネライゼーションより広いスペクトルを有する、請求項１９の方法。
【請求項２６】
前記第２の信号は遠隔ユニット固有信号である、請求項１９の方法。
【請求項２７】
前記第２の信号は情報信号である、請求項１９の方法。
【請求項２８】
前記第２の信号はブロードキャスト信号である、請求項１９の方法。
【請求項２９】
第１のＣＤＭＡシステムに第２のＣＤＭＡシステムをオーバーレイする方法において、
第１のＣＤＭＡチャネライゼーションを用いて第１の信号を第１の送信された信号として送信することと、
第２のＣＤＭＡチャネライゼーションを用いて第２の信号を第２の送信された信号として送信することであって、前記第１および第２のＣＤＭＡチャネライゼーションは、共通周波数スペクトルの少なくとも一部を共有し、前記第１の送信される信号および前記第２の送信される信号は共通のサービスエリアに、結合された出力として送信されることと、
前記第１の送信される信号に相当する前記結合された出力から信号エネルギーを取得することと、
前記第２の送信される信号に相当する前記結合された出力から信号エネルギーを取得することと、
前記第１の送信される信号のタイミングを前記第２の送信される信号のタイミングと比較し、前記取得された信号エネルギーに基いてタイミングエラー表示を発生することと、
前記タイミングエラー表示に対応して前記第２の信号が送信されるタイミングを調節することと、
を備えた方法。
【請求項３０】
前記第１の信号はパイロット信号である、請求項２９の方法。
【請求項３１】
前記第１および第２の信号を送信するステップは、第１のアンテナを介して前記第１および第２の信号を送信するステップを備えた、請求項２９の方法。
【請求項３２】
前記第１および第２の信号に相当する信号エネルギーを取得するステップは、第２のアンテナを介して前記第１および第２の信号を受信するステップを備えた、請求項３１の方法。
【請求項３３】
前記第２の信号に相当する信号エネルギーを取得するステップはカプラーを使用するステップを備えた、請求項２９の方法。
【請求項３４】
前記第２のＣＤＭＡチャネライゼーションは、前記第１のＣＤＭＡチャネライゼーションよりも広いスペクトルを有する、請求項２９の方法。
【請求項３５】
前記第１のＣＤＭＡチャネライゼーションは前記第２のＣＤＭＡチャネライゼーションよりも広いスペクトルを有する、請求項２９の方法。
【請求項３６】
前記第２の信号は遠隔ユニット固有信号である、請求項２９の方法。
【請求項３７】
前記第２の信号は情報信号である、請求項２９の方法。
【請求項３８】
前記第２の信号はブロードキャスト信号である、請求項２９の方法。